(57)【特許請求の範囲】
【請求項１】
底が通気性のある鉢本体１と、鉢本体１内の土で完全に埋まる一体型もしくは分離型の上部解放で底が通気性の無い給水槽２からなる鉢で、給水槽２下部に給水接続口３を設け、外部水槽５と給水管４を通して接続し、外部水槽５の水位レベルにより遠隔給水する給水方法に於いて、鉢の給水接続口３と給水槽２との間で給水管を分岐させ、一方を給水槽２に接続し鉢の給水用とし、もう一方を透明な鉢水位レベルホース９又は管で鉢外上部に立ち上げ、出口を大気解放とする事で外部水槽５から伝達する水位レベルを表示させ、土の保水量を外部より見える様にした事を特徴とする遠隔給水の鉢。
【請求項２】
請求項１に於いて、鉢水位レベルホース９の上部固定部である水位レベルホース固定１１で取外し自由とし、固定している時に水位レベル表示とし、外した時に経路内の排水が出来る排水ホース機能を兼用させた事を特徴とする遠隔給水の鉢。
【発明の詳細な説明】
【技術分野】
【０００１】
本発明は、鉢植えの植物に外部水槽より遠隔自然給水出来る鉢に関してである。
【背景技術】
【０００２】
鉢に給水する場合、栽培している植物を痛めない様に注意して水をやる必要があった。鉢に水を与える場合、必要以上に与えても排水してしまい水を無駄にしてしまうだけで無く、肥料分も流出してしまうという欠点があった。
【０００３】
鉢の保水量は、土の保水性と土の量で決まってしまい、土の量も限られた鉢の場合は、土に多くの給水保存が出来ず、夏場の暑い時期は１日１回の給水では足りなくなる。この時期に緊急の出張とか、旅行とかで留守にすると、せっかく栽培している植物を枯らしてしまう事となり、世話を怠れないという欠点があった。
【０００４】
失敗しない様に給水する為には、毎日決まった時間に決まった量を与える様にすれば良いが、仕事で忙しい人とか、日常の生活で追われている人等はなかなか実行出来ないという問題があった。また、土の保水量は、外からでは見分ける事が困難で、前回給水したタイミングから判断するしか良い方法が無かった。
【０００５】
この改善策として、鉢皿に水を溜めて鉢を中に浸けて置く方法もある。しかしながら短期の応急対応としては何とかなるが、続けると土の通気性が無くなり健全な栽培が難しくなる。また、鉢と水面との間に空間を持たせ吸水材で繋いで土に給水する方法もあるが吸水材から鉢上面の土まで水分が行き渡り難く安定した給水が難しい。
【先行技術文献】
【特許文献】
【０００６】
【特許文献１】特開２００４−１６１２１号公報
【特許文献２】特開２００２−０９５３６号公報
【発明の概要】
【発明が解決しようとする課題】
【０００７】
解決しようとする課題は、鉢の保水量が限られている為、長時間保水出来ない点と、鉢の上面しか土が露出していない為、土の保水量が外からでは分らない点である。
【課題を解決するための手段】
【０００８】
本発明は、鉢植えの鉢と外部水槽を給水管で接続し、外部水槽の水位レベルに応じて外部水槽より遠隔給水出来る様にした構造の鉢に、外部水槽の水位レベルを鉢で表示させて土の保水量を確認出来る様にした事を主な特徴とする。
【発明の効果】
【０００９】
本発明の遠隔給水の鉢は、鉢と外部水槽をホース等の給水管で接続し、外部水槽の水位レベルに応じて給水を行うので、植物を傷める事無く給水出来るという利点がある。
【００１０】
外部水槽への水供給は、倒立式給水タンクやボールタップ等により一定水位になる様に供給制御している。ボールタップによる水供給の場合は、容量の大きな給水タンクを接続したり、水道水を直接ホース接続する事が可能となる。大容量の給水タンクを接続した場合は、タンク容量分の消費日数の間、給水しなくても済むという利点がある。又、水道水から直接ホース接続した場合は、接続している間給水しなくて済むという利点がある。
【００１１】
鉢の数が増えると、鉢の数の分の給水が必要になり、給水の手間と管理が大変になるが、一つの外部水槽から複数個の鉢に接続する事で、接続した鉢の給水が一カ所で済むという利点がある。
【００１２】
鉢に設けた水位レベルで土の保水量が分かり、水位レベルの高さで土の保水量を増減出来る。水位レベル表示を見ながら鉢の設置高さを変える事により、土の保水量を調整出来るという利点がある。
【図面の簡単な説明】
【００１３】
【図１】給水タンク付外部水槽と接続した鉢全体図である。（実施例１）
【図２】水位レベル付の鉢の詳細図である。
【図３】水位レベルを一定に保つ外部水槽の図である。（実施例２）
【図４】複数の鉢を接続した図である。（実施例３）
【図５】接続ホース内のエアー抜きの図である。（実施例４）
【発明を実施するための形態】
【００１４】
鉢に給水する手間を軽減する目的で、外部水槽より遠隔自然給水出来る鉢で外部水槽に接続する給水タンクを大容量化し給水回数を低減し、鉢に水位レベルを表示させ、土の保水量が水位レベルの高さで外から分かる様にする事で実現した。
【実施例１】
【００１５】
この発明の実施形態である図１は、遠隔自然給水の鉢と、外部水槽５をホース接続した図である。ホース接続した鉢側は鉢内部への給水と、鉢外部で水位レベルを表示させている。外部水槽５への給水はボールタップ６で一定液面レベルに保たれ、ボールタップ６より高い位置にある大容量の給水タンク７を接続する事により落差で外部水槽５へ補給される。
【００１６】
遠隔自然給水の鉢は、下面に通気孔のある鉢本体１と、その中に完全に収まるカップ状の給水槽２からなる鉢で、給水槽２の下面は給水接続口３のみで、給水接続口３よりホース等の給水管４を通して外部水槽５と接続する様になっている。外部水槽５と接続する事により、外部水槽５の水位が給水接続口３より給水槽２に伝達し、鉢本体１へ給水される。給水槽２の下面には、水を通すフィルタ１２を入れ、給水接続口３より土の流出を防いでいる。土の給水は、給水槽２より土の自己浸透作用により回りの土へ吸水分散させる事により行う。
【００１７】
鉢内の給水槽２は、鉢に表示された水位レベルと同じになる様に水が供給される。鉢の水位レベルは、給水槽２の底面から、給水槽２の上面迄が調整範囲となり、土の保水量が調整出来る。この範囲内に水位レベルを合わす事により、水を漏らさず給水出来る。給水槽２の容量は、１２号鉢の土容量１５Ｌ相当の鉢で７００ｍＬ程度で良く、全体の土容量の４．７％でしか無い。従って給水槽２底面の通気性は犠牲になるが土容量の４．７％でしか無く、外側は通常の鉢と同じ様に通気性を確保している為、根腐れの心配は無い。
【００１８】
土の保水量は、外部水槽５から伝達した水位が、給水槽２内の土へ伝達し、給水槽２内の土の自己浸透により周りの土に吸水され、土の保水量がバランス状態となる。この状態より植物が水分を消費すると土の保水バランスが崩れ、保水量が一定となる様に外部水槽５より補給される。外部水槽５が消費した分はボールタップ６により外部水槽５の液面が一定になる様に給水タンク７より補給される。最終的に、植物が消費した分だけ給水タンク７の水が減っていく事になる。
【００１９】
水の消費量は栽培する植物により異なり、又、夏場の気温が高い時期程多くなる。例えば背丈の高くなるミニトマトを２鉢栽培した場合、夏場の水の消費量が多い時期で、１日２鉢で約３リッタの水を消費している。図３で２Lの倒立式給水タンク８を２個接続した場合では、４Ｌの容量となり１日強しか持たない事になる。ボールタップ６を使った外部水槽５に２０Ｌの給水タンク７を接続した場合、消費量が多い時期でも６日間は給水しなくて済む。この様に大容量の給水タンク７を接続する事により、給水回数の大幅な低減が出来る。
【００２０】
図２は、水位レベル表示付の鉢の図である。外部水槽５より伝達する水位を鉢側でレベル表示させる様になっている。外部水槽５と接続する鉢の給水接続口３は、給水接続口３と給水槽２との間で二つに分岐され、一方は給水槽２へ繋がり、給水槽２の土へ給水する様になっている。もう一方は透明な鉢水位レベルホース９で鉢外部の水位レベル目盛１０近くで上に立ち上げて水位レベルホース固定１１で保持されている。鉢水位レベルホース９先端は大気解放となっている為、外部水槽５から伝達した水位レベルが鉢に表示される。
【００２１】
鉢の水位レベル目盛１０には下限から上限迄の目盛があり、この範囲になる様に鉢の水位レベルを調整する。下限位置は、給水槽２の底部にあるフィルタ１２の少し上で、これ以上水位が下がると給水出来なくなる位置となっている。上限位置は、給水槽２の上端より少し下で、これ以上水位が上がると、給水槽２を超えて漏れ出す位置となっている。土の保水量は、鉢の水位レベル高さの増減で可能となり、保水量を増やす場合は、鉢の水位レベルを上げる事により増え、逆に下げる事で減らす事が出来る。栽培に入ってからでも、鉢の水位レベルを見ながら簡単に保水量を増減する事が出来る。今まで外部から判断困難であった土の保水量は、鉢水位レベルホース９の水位レベルを見る事で可能となった。
【００２２】
水位レベルの調整方法は、鉢の下に敷くレベル調整用板１３の枚数で鉢毎に調整出来る。鉢にレベル調整用板１３を敷いた場合、その分鉢の設置高さが外部水槽５より高くなる為、鉢の水位レベルが下がる。逆に鉢の水位レベルを上げたい場合は、鉢の下のレベル調整用板１３を取り除く。鉢の下にレベル調整用板１３が無い場合、外部水槽５の下にレベル調整用板１３を敷く事により、全体の水位レベルが上がり接続された鉢の水位レベルが上がる。この様に、鉢の水位レベルは設置高さの調整により栽培中でも簡単に変更出来る。
【実施例２】
【００２３】
図３は、鉢へ水を供給する外部水槽５の図である。外部水槽５は、水位レベルを一定に保つ様に給水タンク７からの水を供給している。簡易型は、外部水槽５にペットボトルによる倒立式給水タンク８を直接設置し、倒立式給水タンク８の出口が外部水槽５の設定水位となり、一定液面になる様に倒立式給水タンク８内の水が補給される。大容量型は、外部水槽５にボールタップ６を設け、設定の水位で水の供給が止まる様になっている。ボールタップ６への水の供給は、大容量の給水タンク７を上に設置する方法と、水道水より直接ホース接続する方法がある。水道水より直接接続の場合、ホースに水を供給している間、給水する必要が無くなる。
【実施例３】
【００２４】
図４は、１つの外部水槽５より複数の鉢を繋いだ図である。外部水槽５からの給水管４をＴ形ジョイント１４で分岐させ、一方を鉢に接続し、一方を更にＴ形ジョイント１４で順番に分岐させる事で複数の鉢を接続出来る。鉢の水位レベルは鉢の下に敷くレベル調整用板１３の枚数により個別に調整出来る為、低含水土を好む植物や、高含水土を好む植物等、好みに応じた設定が出来る。低含水土を好む植物の場合は、鉢の設置高さを高くして鉢の水位レベルを下げてやり土の保水量を下げてやる。逆に高含水土を好む植物の場合は、鉢の設置高さを低くして、水位レベルを上げてやる。この様に鉢毎に保水量の設定が出来る為、違う種類の植物を栽培する場合でも、植物に応じた水分設定が出来る。
【００２５】
大容量の給水タンク７は２０Ｌ容量タイプを接続している。鉢１個当たりの１日平均水消費量が１Ｌとした場合、1回満タンにすれば鉢２個接続の場合は１０日間、鉢４個接続の場合は５日間給水しなくて済む。水の消費量は、季節による外気温や栽培する植物により変化するが、個々の鉢の水位レベルを調整する事により、水を無駄にする事無く消費した分だけの補給で済む。複数の鉢を接続した場合でも、接続数に応じた一様な減り方となり、日々の給水タンクの減り方で、後何日程度持つか把握出来る。タンクへの補給は何時でも出来るので毎日決まった給水の必要も無く、旅行等で留守にする場合、事前に満タンにして置けばタンクの消費日数分給水の必要が無くなり、安心して出かけられる。
【実施例４】
【００２６】
図５は、鉢を設置した時とか、給水タンク７を空にしてしまった時の、給水管４内のエアー抜きの図である。鉢を初めて設置した時は、給水タンク７に水を入れて水の供給を開始するが、途中の給水管４内でエアー溜まりが出来る。又、給水タンク７の補給を忘れてしまった場合、外部水槽５が空になり給水管４内にエアー溜まりが生じる。エアー溜まりが出来ると、外部水槽５から鉢へ水位の伝達する能力が低下し、鉢への給水レベルが低下してしまう。このエアー溜まりを解除する方法として、鉢水位レベルホース９の先端で支持している水位レベルホース固定１１を取り外し出来る様にし、外せば排水ホースに利用出来る様にした。水位レベルホース固定１１はリング状となっており、鉢水位レベルホース９を差し込む事により固定出来、引き抜けば外れる様になっている。エアー溜まりを解除する時は鉢水位レベルホース９を外し、下へ垂らして排水する事によりエアー溜まりを排出する。一度エアー溜まりを排出してしまうと、給水タンク７を空にしない限り問題無く給水出来る。
【産業上の利用可能性】
【００２７】
外部水槽５への水の供給を水道より直接ホース接続する事で、給水タンク７無しで水を供給出来る。水道から水を供給している間、水を補給する手間は無くなり、完全自動給水が可能となる。鉢の栽培台数が多くなれば、給水タンク１個では足りなくなり、複数の給水タンクが必要となり、給水タンクへの水の補給も面倒になる。この様な時に、水道からホース接続して完全自動給水する事で、更に給水の手間を省く事が出来る。
【００２８】
鉢内の給水槽２は、通常は栽培する土を入れるが、植物が給水槽２内の有機質分を消費していくと土の吸水性が変化していく場合がある。給水を安定させる方法として、給水槽２に入れる土を有機質分を含まない専用の土を入れる事も可能で、更に安定した給水が出来る。
【００２９】
温室等で鉢栽培する場合、背丈の低い葉野菜は、地面置きと背丈以上の台置きの２段積栽培にして栽培効率を増やす。この様な複数段の場合でも、各段毎に外部水槽５を設置し、水道より各段の外部水槽５にホース接続する事で温室内の全ての鉢へ完全自動給水が出来る。温室で鉢栽培する場合、雨が当たらず晴天時の乾燥が早い為、路地栽培に比べ頻繁に給水をする必要がある。この様に温室栽培の場合、給水管理が大変となる為、完全自動給水出来るメリットは大きい。又、電気エネルギーを使わず、水を無駄に排出しない自動給水方式となる為、省資源化が出来る。
【符号の説明】
【００３０】
１    鉢本体
２    給水槽
３    給水接続口
４    給水管
５    外部水槽
６    ボールタップ
７    給水タンク
８    倒立式給水タンク
９    鉢水位レベルホース
１０    水位レベル目盛
１１    水位レベルホース固定
１２    フィルタ
１３    レベル調整用板
１４    Ｔ形ジョイント
【図１】
0006338058.tif 000002
【図２】
0006338058.tif 000003
【図３】
0006338058.tif 000004
【図４】
0006338058.tif 000005
【図５】
0006338058.tif 000006